(57)【要約】【課題】  本発明の課題は、ＰＯＳ装置との通信ができない状態になっても洗車ができる洗車機を提供することにある。を提供することにある。【解決手段】  ＰＯＳ装置１５との通信状態を確認する通信確認部１６と、洗車料金を受け付けるコイン装置２０，カード装置２１と、通信確認部１６でＰＯＳ装置１５との通信ができないと判断されたとき、コイン装置２０，カード装置２１のうちＰＯＳ装置１５との通信を行わないで洗車料金の決済できる洗車受付を可能とする制御ボード１１とを備えた。【選択図】図２
2006232039.tif 000002
【特許請求の範囲】
【請求項１】
売上集計やカード照会等の管理業務を行うＰＯＳ装置に連係する洗車機において、
前記ＰＯＳ装置との通信状態を確認する通信確認手段と、洗車料金を受け付ける複数の洗車受付手段と、前記通信確認手段で前記ＰＯＳ装置との通信ができないと判断されたとき、前記洗車受付手段のうち前記ＰＯＳ装置との通信を行わないで洗車料金の決済できる洗車受付を可能とする制御手段とを備えたことを特徴とする洗車機。
【請求項２】
売上集計やカード照会等の管理業務を行うＰＯＳ装置に連係する洗車機において、
前記ＰＯＳ装置との通信状態を確認する通信確認手段と、洗車料金を受け付ける複数の洗車受付手段と、手動操作により前記ＰＯＳ装置との通信を切断する入力手段と、該入力手段でＰＯＳ装置との通信を切断したとき、前記洗車受付手段のうち前記ＰＯＳ装置との通信を行わないで洗車料金の決済できる洗車受付を可能とする制御手段を備えたことを特徴とする洗車機。
【請求項３】
売上集計やカード照会等の管理業務を行うＰＯＳ装置に連係する洗車機において、
前記ＰＯＳ装置と接続して洗車料金を受け付ける洗車受付手段と、前記ＰＯＳ装置との通信状態を確認する通信確認手段と、該通信確認手段でＰＯＳ装置との通信ができないと判断されたとき洗車機に強制的に洗車受付信号を送信する入力手段とと、該入力手段からの信号により洗車を可能とする制御手段とを備えたことを特徴とする洗車機。
【請求項４】
前記ＰＯＳ装置との通信ができない状態で受け付けた洗車内容を記憶する記憶手段を備え、前記ＰＯＳ装置との通信が正常となったときに、前記記憶手段に記憶した洗車内容を前記ＰＯＳ装置に送ることを特徴とする上記請求項１乃至３記載の洗車機。
【発明の詳細な説明】
【技術分野】
【０００１】
本発明は、ガソリンスタンド等においてＰＯＳ装置と連動して洗車を行うタイプの洗車機に関する。
【背景技術】
【０００２】
ＰＯＳ装置に連動する洗車機では、特開平１−２５５０８７号のように、現金による洗車とプリペイドカードやクレジットカードによる洗車が可能である。現金による洗車の場合、洗車機側で現金を受け付けると、実行する洗車内容（コース・料金等）をＰＯＳ装置に送信している。また、カードによる洗車の場合、洗車機側で受け付けたカードの情報をＰＯＳ装置に送信し、ＰＯＳ装置で照会した結果が使用可能と判断されれば洗車機側に受付許可信号を送信して洗車実行し、洗車機側から実行する洗車内容をＰＯＳ装置に送信している。このとき、使用されたカードがプリペイドカードであれば洗車料金を差し引いた残高データをカードに書き込ませ、クレジットカードであれば取引伝票を発行させる。
【０００３】
このようにＰＯＳ装置では、接続される洗車機の売上管理・消耗品管理（液剤補充・ブラシ交換等）・顧客管理等を一括して行われるので、このＰＯＳ装置との通信ができなくなると、洗車機で洗車ができなくなるという問題があった。
【特許文献１】特開平１−２５５０８７号
【発明の開示】
【発明が解決しようとする課題】
【０００４】
そこで、本発明が解決しようとする課題は、ＰＯＳ装置との通信ができない状態になっても洗車ができる洗車機を提供することにある。
【課題を解決するための手段】
【０００５】
本発明は上記課題を解決する第１の手段として、売上集計やカード照会等の管理業務を行うＰＯＳ装置に連係する洗車機において、ＰＯＳ装置との通信状態を確認する通信確認手段と、洗車料金を受け付ける複数の洗車受付手段と、通信確認手段でＰＯＳ装置との通信ができないと判断されたとき、洗車受付手段のうちＰＯＳ装置との通信を行わないで洗車料金の決済できる洗車受付を可能とする制御手段とを備え、ＰＯＳ装置との通信状態を自動的に検出し、その検出結果に基づいて洗車料金を受け付ることが可能な洗車受付手段で洗車料金を決済して洗車を実行できるようにした。
【０００６】
また、第２の手段として、売上集計やカード照会等の管理業務を行うＰＯＳ装置に連係する洗車機において、ＰＯＳ装置との通信状態を確認する通信確認手段と、洗車料金を受け付ける複数の洗車受付手段と、手動操作によりＰＯＳ装置との通信を切断する入力手段と、この入力手段でＰＯＳ装置との通信を切断したとき、洗車受付手段のうちＰＯＳ装置との通信を行わないで洗車料金の決済できる洗車受付を可能とする制御手段を備え、ＰＯＳ装置との通信状態を手動で切り替えて、洗車料金を受け付ることが可能な洗車受付手段で洗車料金を決済して洗車を実行できるようにした。
【０００７】
さらに、第３の手段として、売上集計やカード照会等の管理業務を行うＰＯＳ装置に連係する洗車機において、ＰＯＳ装置と接続して洗車料金を受け付ける洗車受付手段と、ＰＯＳ装置との通信状態を確認する通信確認手段と、通信確認手段でＰＯＳ装置との通信ができないと判断されたとき洗車機に強制的に洗車受付信号を送信する入力手段と、この入力手段からの信号により洗車を可能とする制御手段とを備え、洗車料金の受付ができない状態であっても、オーナーのみが知り得る暗証コードを洗車機側へ送信することで洗車を可能にしＰＯＳ装置との通信ができない状態での緊急措置として洗車を行えるようにした。
【０００８】
これらいずれの手段において、ＰＯＳ装置との通信ができない状態で受け付けた洗車内容を記憶する記憶手段を備え、ＰＯＳ装置との通信が正常となったときに、記憶手段に記憶した洗車内容をＰＯＳ装置に送るようにし、ＰＯＳ装置との連係エラー中に実行した洗車も全てＰＯＳ装置で集計できるようにした。
【発明の効果】
【０００９】
本発明によれば、ＰＯＳ装置との通信ができない状態になっても、洗車が行えるようになる。また、ＰＯＳ装置との連係エラー中に実行した洗車もＰＯＳ装置で集計でき、別途まとめる作業が不要となる。
【発明を実施するための最良の形態】
【００１０】
ガソリンスタンドに設置され、ＰＯＳ装置において売上集計・データ照会等を行うようにした門型洗車機。
【実施例１】
【００１１】
以下、本発明の実施例１について図面を基に説明する。図１は実施例１の洗車機を示す正面図である。１は洗車機本体で、レール２・２上を往復走行し、内部に洗浄ブラシ３・４・４、ブロワノズル５・６・６及び放水装置（図示しない）等を備え、前面に操作パネル７を備えている。操作パネル７で洗車指令すると、本体１が自動車を跨いで走行し、車体に対して順次ブラッシング洗浄・ブロワ乾燥を施し洗車を行うものである。
【００１２】
図２は洗車機１の制御系を示すブロック図である。１０は制御部で、前記操作パネル７と信号の授受を行ない洗車の受付および各種データの処理を行なう中央処理ボード１１と、洗車機１のブラシ・ブロワ・放水装置等の各洗車処理装置を駆動する洗車制御ボード１２と、デジタルバス１４を介して外部のＰＯＳ装置１５と接続するインターフェース１３とを備えている。中央処理ボード１１には、ＰＯＳ装置１５との通信が正常に行われているか否かを検出する通信検出部１６と、ＰＯＳ装置１５との通信ができない状態で洗車を行ったときの各種データを一時的に保存する記憶部１７とが備えられている。
【００１３】
操作パネル７には、表示器１８・キー入力部１９・コイン装置２０・カード装置２１・プリンタ２２とが設けられている。表示器１８は、操作パネル７における操作ガイド表示や洗車機での各種エラーのコード表示を行う。キー入力部１９は、洗車コース選択キー２３と、突起物指定キー２４と、スタートキー２５と、電源キー２６とを備え、洗車コースの選択や洗車開始指令を行う。洗車コース選択キー２３と突起物指定キー２４とは、各キーに対応するＬＥＤランプを備えている。電源キー２６は、キースロットへ所定のキーを差し込んで回すことにより、電源切−洗車モード−管理モードとの切り換えを行う。洗車モードは、通常の洗車受付状態とするモード、管理モードは暗証コードや洗車料金等の必要データの入力、および洗車実績等の記憶データを表示器１８へ呼び出すといった管理操作を行なうモードである。コイン装置２０は、洗車料金の受付やプリペイドカードで料金不足が生じたときの不足料金の受付を行なう。カード装置２１は、プリペイドカード用のリーダライタ２１ａと、クレジットカード用のリーダ２１ｂとを内蔵し、プリペイドカードの読取および書込、クレジットカードの受付を行なう。プリンタ２２は、洗車料金の取引伝票を発行する。
【００１４】
このように構成する実施例１の動作について説明する。図３は中央制御ボード１１での動作を示すフローチャートである。電源キー２５を洗車モードにセットすると、通信検出部１６でＰＯＳ装置１５との通信が正常に行われるか否かを確認する（１）。ここで、ＰＯＳ装置１５との通信が正常に行われると判断されると、オンラインモードとなり、コインもしくはカードによる洗車料金の挿入待ち状態となる（２）。
【００１５】
洗車料金を受け付けると、洗車コースの選択待ち状態となり（３）、希望の洗車コース・突起物指定が選択されるとスタート待機状態となり（４）、スタートキー８が押されると、洗車料金を精算して（５）、選択した洗車内容で洗車が実行される（６）。処理（５）における洗車料金の精算は、現金による洗車でおつりのある場合、おつりの排出を行い、プリペイドカードによる洗車の場合、リーダライタ２１ａにおいて実行した洗車コースの料金に基づきカードの料金データを減点してカードを返却し、クレジットカードによる洗車の場合はリーダライタ２１ｂよりカードを返却するものである。処理（６）における洗車動作は、例えば、本体１の往行に伴い洗剤を放出しながらブラッシング洗浄を行い、復行に伴いブロワ乾燥するものである。
【００１６】
洗車が終了すると、プリンタ２２から取引のあった洗車料金に係る伝票（領収伝票）を打ち出し（７）、その後、実行した洗車内容・料金データをＰＯＳ装置に送信して（８）、終了となる。ＰＯＳ装置では、これらの内容を集計し、日計・月計といった売上データ、洗剤等の消耗具合、利用頻度・客層等の顧客データとして管理される。
【００１７】
一方、上記処理（１）でＰＯＳ装置１５との通信ができないと判断されると、オフラインモードとなる。このモードでは、クレジットカードのようにＰＯＳ装置側でカード照会を行うものは使用できないので、ＰＯＳ装置１５との通信ができない旨を表示器１８に表示し（９）、カード装置２１でクレジットカードの受付を禁止する（１０）。現金による洗車とプリペイドカードによる洗車は、ＰＯＳ装置との通信が必要ないため、洗車を受け付け上記した処理（２）〜（７）と同様にプログラムが実行される。ＰＯＳ装置１５との通信ができない状態での洗車が終了すると、実行した洗車内容・料金データは、中央処理ボード１１の記憶部１７に一時的に保存される（１２）。ＰＯＳ装置１５との通信が回復したか否かを確認し（１３）、回復が確認されると記憶部１７に保存されているデータをＰＯＳ装置側に送信する（１４）。こうして、ＰＯＳ装置１５との通信ができない状態で実行した洗車もＰＯＳ装置との通信が回復した時点でＰＯＳ装置側に送信するので、ＰＯＳ装置で一括管理ができる。
【００１８】
次に、上記処理（２）での洗車料金受付の動作について、図４のフローチャートを用いて説明する。本実施例１では、洗車料金を現金・プリペイドカード・クレジットカードにより支払うことができるように構成されているので、コイン装置２０に現金が投入されたのか、カード装置２１にプリペイドカードが挿入されたのか、カード装置２１にクレジットカードが挿入されたのか、によって受付動作は異なっている。
【００１９】
コイン装置２０に現金が投入されると（１５）、コイン装置２０において投入された金額を読み取り（１６）、その金額で実行できる洗車コースのＬＥＤランプを点灯させる（１７）。
【００２０】
カード装置２１にプリペイドカードが挿入されると（１８）、プリペイドカード用のリーダライタ２１ａにおいて挿入されたカードのデータを読み取り（１９）、これらデータを照合して使用できるか否かを確認する（２０）。ここで、使用可能と判断されればカード内の残点数の範囲で実行できる洗車コースのＬＥＤランプを点灯させる（２１）。使用不可と判断されればカードを吐き出して（２２）、カードの再受付に戻る。尚、カードの残金不足の場合は、コイン装置２０またはカード装置２１からの追加投入を認める。この方法は、本出願人が先に提案した特開平１−２４０３４９号と同様な構成により実現される。
【００２１】
カード装置２１にクレジットカードを挿入されると（２３）、クレジットカード用のリーダ２１ｂにおいて挿入されたカードのデータを読み取り（２４）、ＰＯＳ装置２へ送信する（２５）。その後、ＰＯＳ装置２からの照会結果を受けて（２６）、受付許可であれば洗車コースのＬＥＤランプを点灯させる（２７）。受付許可でなければ、カードを吐き出して（２２）、カードの再受付の状態に戻る。
【００２２】
このように構成する本実施例１は、サービスステーションに設置される門型洗車機を例示したものであるが、洗車受付部となる操作パネルを洗車機と独立して設け、ドライバ自らが自動車に乗ったまま洗車受付を行い、洗車機本体１の洗車エリアに自動車を乗り入れるドライブスルー式の洗車機にも採用することができる。
【実施例２】
【００２３】
次に、本発明の実施例２について説明する。図５は実施例２の制御系を示すブロック図である。実施例２は、操作パネル３０に手動操作でＰＯＳ装置１５との通信を切断するＰＯＳ断スイッチ３１を備えたものである。このスイッチ３１は、任意に洗車機とＰＯＳ装置１５との通信を切断するものであり、スイッチ３１で通信を切断すると、中央制御ボード１１では図３におけるオフラインモードの処理（９）〜（１２）が行われる。この構成であれば、通信確認部１６で検出されるＰＯＳ装置１５との通信が、接続−切断を繰り返して安定せず、正常な通信ができないような場合に、洗車機を操作するサービスマンによって任意に通信を切断することができるため、使い勝手がよい洗車機が提供できる。
【実施例３】
【００２４】
次に、本発明の実施例３について説明する。図６は実施例３の制御系を示すブロック図である。実施例３では、コイン装置やカード装置といった洗車料金受付部を洗車機本体から離して設置している。このような洗車機は、洗車料金受付部をステーション内に設置し、この受付部で料金決済後に洗車機本体で洗車設定を行うタイプの洗車機に採用される。
【００２５】
図６において、４０はＰＯＳ装置１５と連係する料金受付部、４１は洗車機に備えられる操作パネルである。操作パネル４１には、上記実施例１に示す操作パネルのキー入力部の他に、暗証コードを入力するための暗証入力キー４２が設けられている。この暗証入力キー４３は、ＰＯＳ装置４１との通信ができずに料金受付部４０での料金受付ができなくなった状態で、サービスマンがマニュアル操作することにより、緊急措置として洗車を可能とするためのものであり、例えば、ユーザから洗車料金に相当する現金を預かっておき、サービスマンが暗証番号をキー入力することで洗車するように使用される。
【００２６】
ここでのＰＯＳ装置１５との通信確認は、上記実施例１に示す自動検出や実施例２に示す手動切替のいずれの方法でもよく、サービスマン等による洗車機の不正使用を防ぐため、ＰＯＳ装置１５が切断された状態で実行した洗車は記憶部に保存されるようにする。
【産業上の利用可能性】
【００２７】
ガソリンスタンドのＰＯＳ装置に連係させた洗車機に利用される。
【図面の簡単な説明】
【００２８】
【図１】図１は実施例１の洗車機を示す正面図である。
【図２】図２は制御系を示すブロック図である。
【図３】図３は中央制御ボードでの動作を示すフローチャートである。
【図４】図４は洗車料金受付の動作を示すフローチャートである。
【図５】図５は実施例２の制御系を示すブロック図である。
【図６】図６は実施例３の制御系を示すブロック図である。
【符号の説明】
【００２９】
１  洗車機本体
３・４・４  洗車処理装置としてのブラシ
５・６・６  洗車処理装置としてのブロワノズル
７    操作パネル
１０  制御部
１１  中央制御ボード
１２  洗車制御ボード
１５  ＰＯＳ装置
１６  通信確認部
１７  記憶部
２０  コイン装置
２１  カード装置
２１ａ  プリペイドカード用リーダライタ
２１ｂ  クレジットカード用リーダ
【図１】
2006232039.tif 000003
【図２】
2006232039.tif 000004
【図３】
2006232039.tif 000005
【図４】
2006232039.tif 000006
【図５】
2006232039.tif 000007
【図６】
2006232039.tif 000008